(57)【特許請求の範囲】
【請求項１】
無線アクセス・ネットワークにおける装置により実行される、
１つのエリアおよび時間間隔内でページング要求情報および移動体接続情報を収集するステップと、
前記ページング要求情報および前記移動体接続情報に依存して移動体通信システム内のトラッキング・エリア・サイズ情報を決定するステップと
を含む方法であって、
前記ページング要求情報が、前記エリア内で前記時間間隔内のページング要求の数であり、
前記移動体接続情報が、前記エリア内で前記時間間隔内の接続セットアップ試行の数であり、
前記エリアが、
公衆陸上移動体ネットワーク・エリア、
１つのトラッキング・エリア、
複数のトラッキング・エリア、
ベース・ステーションによりカバーされるエリア、および、
ベース・ステーションのセルによりカバーされるエリア
のうちの１つである、方法。
【請求項２】
前記トラッキング・エリア・サイズ情報を決定するステップは、前記ページング要求情報および前記移動体接続情報に依存して比率を決定するステップを含む、請求項１に記載の方法。
【請求項３】
前記トラッキング・エリア・サイズ情報が、前記移動体通信システム内の前記トラッキング・エリアのベース・ステーション数および前記移動体通信システム内の前記トラッキング・エリアのセル数のうちの１つに関係する情報を示している、請求項１または２に記載の方法。
【請求項４】
前記装置は、
制御エンティティ、
ネットワーク管理ノード、および、
ベース・ステーション
のうちの１つである、請求項１ないし３のいずれかに記載の方法。
【請求項５】
１つのエリアおよび時間間隔内でページング要求情報および移動体接続情報を収集するための手段と、
前記ページング要求情報および前記移動体接続情報に依存して移動体通信システム内のトラッキング・エリア・サイズ情報を決定する手段を含む、
無線アクセス・ネットワークにおける装置であって、
前記ページング要求情報が、前記エリア内で前記時間間隔内のページング要求の数であり、
前記移動体接続情報が、前記エリア内で前記時間間隔内の接続セットアップ試行の数であり、
前記エリアが、
公衆陸上移動体ネットワーク・エリア、
トラッキング・エリア、
ベース・ステーションによりカバーされるエリア、および、
ベース・ステーションのセルによりカバーされるエリア
のうちの１つである、装置。
【請求項６】
前記トラッキング・エリア・サイズ情報を決定するステップは、前記ページング要求情報および前記移動体接続情報に依存して比率を決定するステップを含む、請求項５に記載の装置。
【請求項７】
前記トラッキング・エリア・サイズ情報が、前記移動体通信システム内の前記トラッキング・エリアのベース・ステーション数および前記移動体通信システム内の前記トラッキング・エリアのセル数のうちの１つに関係した情報を示している、請求項５または６に記載の装置。
【請求項８】
前記装置は、
制御エンティティ、
ネットワーク管理ノード、および、
ベース・ステーション
のうちの１つである、請求項５ないし７のいずれかに記載の装置。
【請求項９】
動作するとき、請求項１ないし４のいずれか１項に記載の方法を実行するように構成されているコンピュータ実行可能命令を含むコンピュータ・プログラム。
【発明の詳細な説明】
【背景技術】
【０００１】
通信システムは、２つ以上のノード、例えば固定または移動デバイス、マシン型端末、アクセス・ノード、例えばベース・ステーション、サーバーなどの間の通信セッションを可能にする設備として考えることのできるものである。通信システムおよび互換性ある通信エンティティは、典型的には、システムと結び付けられたさまざまなエンティティが何を行なうことができるかそしていかにそれを達成すべきかを明確に述べている所与の規格または仕様書にしたがって作動する。例えば、規格、仕様書および関係するプロトコルは、デバイスがいかに通信するか、通信のさまざまな態様をいかに実装するか、そしてシステム内で使用するためのデバイスをいかに構成するかを定義付けすることができる。
【０００２】
ユーザーは、適切な通信デバイスを用いて通信システムにアクセスすることができる。ユーザーの通信デバイスは多くの場合、ユーザー機器（ＵＥ）または端末と呼ばれる。通信デバイスには、他の当事者との通信を有効にするための適切な信号送受信用設備が備えられている。典型的には、音声およびコンテンツデータなどの通信の送受信を可能にするために、ユーザー機器などのデバイスが使用される。
【０００３】
通信は、無線キャリヤ上で搬送され得る。無線システムの例には、公衆陸上移動体ネットワーク（ＰＬＭＮ）例えばセルラーネットワーク、衛星通信システムおよび異なる無線ローカルネットワーク、例えば無線ローカル・エリア・ネットワーク（ＷＬＡＮ）が含まれる。無線システム内では、通信デバイスが、例えばアクセス・ネットワークのベース・ステーションなどの別の通信デバイスおよび／または別のユーザー機器と通信できるトランシーバー・ステーションを提供する。ベース・ステーションとユーザーの通信デバイス間の通信の２つの方向は、従来、ダウンリンクおよびアップリンクと呼ばれる。ダウンリンク（ＤＬ）は、ベース・ステーションから通信デバイスへの方向として、またアップリンク（ＵＬ）は、通信デバイスからベース・ステーションへの方向として理解できる。
【発明の概要】
【０００４】
第１の態様によると、ページング要求情報および移動体接続情報に応じて移動体通信システム内のトラッキング・エリア・サイズ情報を決定するステップを含む方法が提供されている。
【０００５】
本願の方法は、１つのエリアおよび時間的間隔内で前記ページング要求情報および前記移動体接続情報を収集するステップを含むことができる。
【０００６】
ページング要求情報は、エリア内で時間的間隔内のページング要求の数であり得る。
【０００７】
移動体接続情報は、エリア内で時間的間隔内の接続セットアップ試行の数であり得る。
【０００８】
エリアは、公衆陸上移動体ネットワーク・エリア、１つのトラッキング・エリア、複数のトラッキング・エリア、ベース・ステーションにより網羅されるエリアおよびベース・ステーションのセルにより網羅されるエリアのうちの１つであり得る。
【０００９】
この方法はさらに、ページング要求情報および移動体接続情報に応じて比率を決定するステップが含むトラッキング・エリア・サイズ情報を決定するステップを含むことができる。
【００１０】
トラッキング・エリア・サイズ情報は、移動体通信システム内のトラッキング・エリアのベース・ステーション数および移動体通信システム内のトラッキング・エリアのセル数を示すことができる。
【００１１】
この方法はさらに、ページング要求情報および移動体接続情報のうちの少なくとも１つを収集するステップを含むことができる。
【００１２】
この方法はさらに、管理エンティティ、コア・ネットワーク・ノード、制御エンティティ、ネットワーク管理ノードまたはベース・ステーションのうちの１つにおいて方法を実施するステップを含むことができる。
【００１３】
第２の態様においては、ページング要求情報および移動体接続情報に応じて移動体通信システム内のトラッキング・エリア・サイズ情報を決定する手段を含む装置が提供されている。
【００１４】
本願の装置は、１つのエリアおよび時間的間隔内でページング要求情報および移動体接続情報を収集するための手段を含むことができる。
【００１５】
ページング要求情報は、エリア内で時間的間隔内のページング要求の数であり得る。
【００１６】
移動体接続情報は、エリア内で時間的間隔内の接続セットアップ試行の数であり得る。
【００１７】
そのエリアは、公衆陸上移動体ネットワーク・エリア、１つのトラッキング・エリア、複数のトラッキング・エリア、ベース・ステーションにより網羅されるエリアおよびベース・ステーションのセルにより網羅されるエリアのうちの１つであり得る。
【００１８】
この装置はさらに、ページング要求情報および移動体接続情報に応じて比率を決定するステップを含むトラッキング・エリア・サイズ情報を決定するステップを含むことができる。
【００１９】
トラッキング・エリア・サイズ情報は、移動体通信システム内のトラッキング・エリアのベース・ステーション数および移動体通信システム内のトラッキング・エリアのセル数を示すことができる。
【００２０】
この装置はさらに、ページング要求情報および移動体接続情報のうちの少なくとも１つを収集するための手段を含むことができる。
【００２１】
この装置はさらに、管理エンティティ、コア・ネットワーク・ノード、制御エンティティ、ネットワーク管理ノードまたはベース・ステーションのうちの１つにおいて方法を実施するための手段を含むことができる。
【００２２】
第３の態様においては、少なくとも１つのプロセッサおよび１つ以上のプログラムのためのコンピュータ・コードを含む少なくとも１つのメモリーを含む装置が提供されており、ここで少なくとも１つのメモリーおよびコンピュータ・コードは、少なくとも１つのプロセッサを用いて、ページング要求情報および移動体接続情報に応じて移動体通信システム内のトラッキング・エリアのトラッキング・エリア・サイズ情報を装置に少なくとも決定させるように構成されている。
【００２３】
少なくとも１つのプロセッサおよび少なくとも１つのメモリーは、１つのエリアおよび時間的間隔内で前記ページング要求情報および前記移動体接続情報を収集するように構成され得る。
【００２４】
ページング要求情報は、エリア内で時間的間隔内のページング要求の数であり得る。
【００２５】
移動体接続情報は、エリア内で時間的間隔内の接続セットアップ試行の数であり得る。
【００２６】
エリアは、公衆陸上移動体ネットワーク・エリア、１つのトラッキング・エリア、複数のトラッキング・エリア、ベース・ステーションにより網羅されるエリアおよびベース・ステーションのセルにより網羅されるエリアのうちの１つであり得る。
【００２７】
少なくとも１つのプロセッサおよび少なくとも１つのメモリーは、ページング要求情報および移動体接続情報に応じて比率を決定することを含め、トラッキング・エリア・サイズ情報を決定するように構成され得る。
【００２８】
トラッキング・エリア・サイズ情報は、移動体通信システム内のトラッキング・エリアのベース・ステーション数および移動体通信システム内のトラッキング・エリアのセル数を示すことができる。
【００２９】
少なくとも１つのプロセッサおよび少なくとも１つのメモリーは、ページング要求情報および移動体接続情報のうちの少なくとも１つを収集するように構成され得る。
【００３０】
少なくとも１つのプロセッサおよび少なくとも１つのメモリーは、管理エンティティ、コア・ネットワーク・ノード、制御エンティティ、ネットワーク管理ノードまたはベース・ステーションのうちの１つにおいて方法を実施するように構成され得る。
【００３１】
第４の態様においては、プログラム・コードを含むコンピュータ・プログラムが提供されており、第１の態様の方法を実施するように適応された手段も同様に提供され得る。コンピュータ・プログラムは記憶され得、かつ／またはキャリヤ媒体を用いて実施可能である。
【図面の簡単な説明】
【００３２】
【図１】ベース・ステーションおよび複数の通信デバイスを含む通信システムの概略図を示す。
【図２】一部の実施形態に係る移動体通信デバイスの概略図を示す。
【図３】通信システムの概略図を示す。
【図４】少なくとも１つのページングがトラッキング・エリア内で送信される場合の時間周期Ｔの累積分布関数（ＣＤＦ）を示す。
【図５】異なるサイズのトラッキング・エリア内における更新数の概略図を示す。
【図６】トラッキング・エリア対ロケーションエリアのマッピングの概略図を示す。
【図７】トラッキング・エリア・サイズ情報を決定する方法の流れ図を示す。
【図８】一部の実施形態に係るネットワーク要素の概略図を示す。
【図９】一部の実施形態に係る制御装置の概略図を示す。
【発明を実施するための形態】
【００３３】
以下では、移動体通信デバイスにサービス提供する無線または移動体通信システムを参照して、一部の例示的実施形態について説明する。例示的実施形態を詳細に説明する前に、記載例の基礎をなす技術を理解する上で一助となるように、図１〜３を参照しながら、無線通信システムおよび移動体通信システムの一部の一般的原理について簡単に説明する。
【００３４】
図１は、少なくとも１つのベース・ステーション、アクセスポイントまたは類似の無線伝送および／または受信ノードまたはポイントを介した無線アクセスが移動体通信デバイスまたはユーザー機器（ＵＥ）１０２、１０３、１０５に備わる無線通信システムを示す。ベース・ステーションは、典型的には、ベース・ステーションと通信状態にある移動体通信デバイスの作動および管理を可能にする目的で、少なくとも１つの適切なコントローラ装置によって制御される。コントローラ装置を、無線アクセス・ネットワーク（例えば無線通信システム１００）内またはコアネットワーク（図示せず）内に位置設定することができ、１つの中央装置として実装でき、あるいはその機能性を複数の装置にわたり分散させることもでき、ベース・ステーションはベースバンドプールを含むことができる。コントローラ装置は、ベース・ステーションの一部であり得、かつ／または、例えば無線アクセス・ネットワーク内の無線ネットワーク・コントローラーなどの別個のエンティティにより提供され得る。図１中には、例えばマクロ、ピコまたはフェムト・ベース・ステーションであり得るそれぞれのベース・ステーション１０６および１０７を制御するための制御装置１０８および１０９が示されている。ベース・ステーションの制御装置は、他の制御エンティティとの相互接続が可能である。制御装置は典型的には、記憶容量および少なくとも１つのデータプロセッサが備えられている。制御装置および制御機能は、複数の制御ユニット間に分散可能である。一部のシステムにおいては、無線ネットワーク・コントローラー内に制御装置を追加でまたは代替的に備えることができる。
【００３５】
図１において、ベース・ステーション１０６および１０７は、ゲートウェイ１１２を介してより広い通信ネットワーク１１３に接続された状態で示されている。別のネットワークに接続するためにさらなるゲートウェイ機能を提供することができる。
【００３６】
例えば別のゲートウェイ機能によっておよび／またはマクロ・ステーションのコントローラを介して、より小さいベース・ステーション１１６、１１８および１２０をネットワーク１１３に接続することもできる。実施例において、ステーション１１６および１１８は、ゲートウェイ１１１を介して接続され、一方、ステーション１２０はコントローラ装置１０８を介して接続する。一部の実施形態においては、より小さいステーションを備えないことも可能である。
【００３７】
ここで、通信デバイス２００の概略的部分断面図を示す図２を参照して、考えられる移動体通信デバイスについてより詳細に説明する。このような通信デバイスは多くの場合ユーザー機器（ＵＥ）または端末と呼ばれる。無線信号を送受信できる任意のデバイスによって、適切な移動体通信デバイスを提供することができる。非限定的な例としては、モバイルステーション（ＭＳ）または移動体デバイス、例えば携帯電話または「スマートホン」として公知のもの、無線インターフェイスカードまたは他の無線インターフェイスファシリティ（例えばＵＳＢドングル）、携帯情報端末（ＰＤＡ）または無線通信ケイパビリティを備えたタブレットまたはこれらの任意の組合せなどが含まれる。移動体通信デバイスは、例えば、音声、電子メール（Ｅメール）、テキスト・メッセージ、マルチメディアなどの通信を搬送するためのデータ通信を提供することができる。こうしてユーザーに対し、その通信デバイスを介して多くのサービスをオファーし提供することができる。これらのサービスの非限定的な例としては、双方向または多方向呼出し、データ通信またはマルチメディア・サービスまたは単にインターネットなどのデータ通信ネットワークシステムへのアクセスが含まれる。ユーザーには同様に、ブロードキャストまたはマルチキャストデータも提供できる。コンテンツの非限定的例としては、ダウンロード、テレビおよびラジオ番組、広告、さまざまな警告および他の情報が含まれる。
【００３８】
移動体デバイス２００は、適切な受信用装置を介して空中または無線インターフェース２０７上で信号を受信でき、無線信号を伝送するための適切な装置を介して信号を伝送することができる。図２中では、トランシーバ装置が、概略的にブロック２０６により示されている。トランシーバ装置２０６は、例えば、無線部品とそれに付随するアンテナ設備を用いて提供できる。アンテナ設備は、移動体デバイスの内部または外部に配置できる。
【００３９】
移動体デバイスには、典型的には、少なくとも１つのデータ処理エンティティ２０１、少なくとも１つのメモリー２０２および、アクセス・システムおよび他の通信デバイスに対するアクセスおよび他の通信デバイスとの通信の制御を含め移動体デバイスの設計の実施目的であるタスクのソフトウェアおよびハードウェア援用型実行において使用するための考えられる他の構成要素２０３が備えられている。データ処理装置、記憶装置および他の関連する制御装置は、適切な回路板上および／またはチップセット上に備えることができる。このフィーチャーは、２０４という番号で記されている。ユーザーは、キーパッド２０５、音声コマンド、タッチセンシティブ・スクリーンまたはパッド、これらの組合せなどの好適なユーザ・インターフェースを用いて、移動体デバイスの作動を制御することができる。ディスプレイ２０８、スピーカーおよびマイクロホンも同じく備えることが可能である。さらに、移動体通信デバイスは、他のデバイスに対するおよび／または例えばハンドフリー機器などの外部付属部品を移動体通信デバイスに接続するための適切なコネクタ（有線または無線）を含むことができる。
【００４０】
通信デバイス１０２、１０３、１０５は、さまざまなアクセス技術、例えば符号分割多元接続（ＣＤＭＡ）、または広帯域ＣＤＭＡ（ＷＣＤＭＡ）などに基づいて通信システムにアクセスできる。他の非限定的実施例には、時分割多元接続（ＴＤＭＡ）、周波数分割多元接続（ＦＤＭＡ）そしてそのさまざまなスキーム、例えばインターリーブド周波数分割多元接続（ＩＦＤＭＡ）、単一搬送波周波数分割多元接続（ＳＣ−ＦＤＭＡ）および直交周波数分割多元接続（ＯＦＤＭＡ）、空間分割多元接続（ＳＤＭＡ）などが含まれる。
【００４１】
無線通信システムの一例は、第三世代パートナーシップ・プロジェクト（３ＧＰＰ）により規格化されたアーキテクチャである。３ＧＰＰに基づく最新の開発は、多くの場合、ユニバーサル移動体通信システム（ＵＭＴＳ）無線アクセス技術のロングタームエボリューション（ＬＴＥ）（長期的進化）と呼ばれている。３ＧＰＰ仕様のさまざまな開発段階は、リリースと呼ばれる。ＬＴＥのより最近の開発は多くの場合、ＬＴＥ−アドバンスト（ＬＴＥ−Ａ）と呼ばれる。ＬＴＥは、進化型ユニバーサル地上無線アクセス・ネットワーク（Ｅ−ＵＴＲＡＮ）として公知の移動体アーキテクチャを利用する。このようなシステムのベース・ステーションは、進化型またはエンハンスト・ノードＢｓ（ｅＮＢｓ）として公知であり、通信デバイスに向けてユーザープレーン無線リンク制御／媒体アクセス制御／物理層プロトコル（ＲＬＣ／ＭＡＣ／ＰＨＹ）および制御プレーン無線リソース制御（ＲＲＣ）プロトコル終端などのＥ−ＵＴＲＡＮフィーチャーを提供する。無線アクセス・システムの他の例としては、無線ローカル・エリア・ネットワーク（ＷＬＡＮ）および／またはＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などの技術に基づくシステムのベース・ステーションによって提供されるものが含まれる。
【００４２】
図３に示されているように、ＬＴＥシステムは、ＲＮＣを備えることなく、いわゆる「フラット型」アーキテクチャを有するものとみなすことができる。むしろ、（ｅ）ＮＢ１２２（ＬＴＥベース・ステーション）は、コア・ネットワーク内に位置設定し得る移動性管理エンティティ１３０（ＭＭＥ）およびシステム・アーキテクチャ進化ゲートウェイ（ＳＡＥ−ＧＷ）と通信状態にあり、これらのエンティティは同様にポーリングすることもでき、このことはすなわち、複数のこれらのノードが複数（１セット）の（ｅ）ＮＢにサービス提供できることを意味している。各ＵＥ１０２は、一度に１つのＭＭＥ１３０および／またはＳ−ＧＷによるサービス提供を受けることができ、（ｅ）ＮＢは現行の組合せを追跡する。ＳＡＥ−ＧＷ１３２は、Ｓ−ＧＷおよびＰ−ＧＷ（それぞれゲートウェイおよびパケット・データ・ネットワーク・ゲートウェイにサービス提供する）で構成され得る、ＬＴＥ内の「高レベル」ユーザ・プレーン・コア・ネットワーク要素である。コアネットワークは、進化型パケットコア（ＥＰＣ）として公知であり得る。Ｓ−ＧＷおよびＰ−ＧＷの機能性は分離可能であり、同じ場所に配置される必要はない。
【００４３】
同じトラッキング・エリアコード（ＴＡＣ）を有するｅＮＢ１２２などのベース・ステーションクラスタが、トラッキング・エリア（ＴＡ）１５０として公知である。不正なＴＡ設定はＥ−ＵＴＲＡＮおよびＥＰＣの両方においてシグナリングのオーバーロードを導き、こうしてシステム全体の性能を劣化させる可能性があることから、ライブ・ネットワーク内では、トラッキング・エリア（ＴＡ）サイズの監視が重要である。
【００４４】
ＵＥ１０２が属するＴＡ１５０の各セル内で、移動体着信呼のためのページング要求メッセージが送信される。図４は、ＴＡ内で少なくとも１つのページングが送信された場合の時間周期ＴのＣＤＦを示す。Ｔ1≪Ｔ2であるため、より大きなＴＡ１５０の中でより頻繁にページングが送信される。ＴＡが大きくなればなるほど、（より大きいトラッキング・エリア１５０内でＵＥの量が大きいことに起因して）時間的間隔Ｔ内でページング要求が送信される確率は高くなり、このため、ＴＡ１５０が過度に大きくなった場合、ＰＣＣＨ（ページング制御チャネル）およびＳ１ＭＭＥインターフェース上に障害がもたらされる可能性がある。
【００４５】
図５に示されている通り、ＴＡ１５０が過度に小さい場合、異なるＴＡ１５０間でＵＥ１０２が移動している時に実施されるＴＡ更新の数は増大し、これが、共通制御チャネル（ＣＣＣＨ）上の障害および／またはｅＮＢ１２２とのＳ１ＭＭＥインターフェース内のプリアンブルの欠落および／またはＵＥバッテリー消費量の増大および、全伝送済みデータ量の無視できない部分のＴＡ更新目的での消費を導く可能性がある。
【００４６】
ＣＳＦＢ（Ｃｉｒｃｕｉｔ  Ｓｗｉｔｃｈｅｄ  Ｆａｌｌｂａｃｋ）を伴うＶｏＬＴＥ（Ｖｏｉｃｅ  ｏｖｅｒ  ＬＴＥ）においては、ＴＡ対ＬＡ（ロケーションエリア）のマッピングが、ＭＭＥ１３０内で維持される。移動体音声着信呼の際にＣＳＦＢが呼出された場合ＵＥ１０２がどの移動体交換局（ＭＳＣ）に帰属することになるかの予測を試みてＭＭＥ１３０がマッピングを使用することから、マッピングは必要である。このマッピングはできるかぎり正確である必要があるため、オペレータは、ＴＡのサイズを調整することができるが、このことは、ＴＡのサイズが過度に大きいか過度に小さくなった場合、ＴＡ対ＬＡのマッピングの問題を導く可能性がある。
【００４７】
図６は、ＴＡ対ＬＡマッピングの一例を示す。
【００４８】
ＴＡサイズは、ＴＡに割当てられたｅＮＢ１２２（またはセル）の平均数を計算することによって監視できる。これには、直接ＥＰＣからまたはＯＳＳ（Ｏｐｅｒａｔｉｏｎｓ  Ｓｕｐｐｏｒｔ  Ｓｙｓｔｅｍ）からのいずれかで大量の構成データをダウンロードすることが必要となる。しかしながら、Ｅ−ＵＴＲＡＮおよびＥＰＣは、異なるベンダーによって提供され得、そのためダウンロードおよび計算が困難になっている。ＥＰＣにより実施される検査は簡単ではない。
【００４９】
さらに、オペレータは、多数のＴＡ１５０で構成された動的ＴＡリストなどの代替的な技術をＥＰＣ内で使用することができる。これらのＴＡリストは、サイクリックスライドウィンドウパターンに従い、ネットワーク内のシグナリング負荷の均一な分散を可能にし、わずか数個のセル上における高い過負荷を回避する。スマートページング・フィーチャーとして公知である別の技術は、全ＴＡ中にページング要求を送信する代りに、高い確率でＵＥ１０２が位置すると期待されるｅＮＢｓ１２２で構成されるスマートＴＡリスト内にページング要求を送信することに基づくものである。
【００５０】
これらの代替的技術が使用される場合にＴＡサイズが原因で起こると考えられる問題を発見するために、いわゆる実ＴＡサイズ、すなわちＵＥ１０２が呼出された時に中にページング要求が送信されるセルの数によって与えられるサイズが監視されるものとする。動的ＴＡリストの場合、実ＴＡサイズは、動的ＴＡリスト内に含まれる全てのＴＡにより表わされるサイズである。すなわち、これは、構成から得られる単一のＴＡサイズよりも大きいものであり得る。スマートページングの場合、実ＴＡサイズは、スマートＴＡの中に含まれるセルによって表わされる。すなわち、それは、構成から得られる単一のＴＡサイズよりも小さいものであり得る。
【００５１】
単一のＴＡサイズの監視は可能であるが、直接ＥＰＣからかまたはＯＳＳからのいずれかで大量の構成データをダウンロードすることを必要とするため、時間がかかる。しかしながら、特にＥ−ＵＴＲＡＮおよびＥＰＣが異なるベンダーによって提供される場合には、ＴＡサイズを迅速に検査し、ＥＰＣ側との容易なインタラクションを有することが望ましい。オペレータが代替的な技術を使用できるという事実は、実ＴＡサイズの監視の複雑性を増大させると同時に、構成データからの実ＴＡサイズの取得をより時間のかかる困難なものにする。したがって、Ｅ−ＵＴＲＡＮ側でＴＡサイズ測定を実施できることが有用であると考えられる。ＴＡサイズの問題は、Ｅ−ＵＴＲＡＮならびにＥＰＣに対する影響を有し得る。ＴＡサイズを監視し予防的措置を講じることができるようにするための手段が、所望される。
【００５２】
図７は、Ｅ−ＵＴＲＡＮにおいてＴＡリストサイズを監視するために使用できる方法を示す。ＴＡリストは、ＴＡ１５０のリストを表わし、ＵＥ１０２に対してその登録が有効である場所を指示する。ＵＥ１０２が属するＴＡリストの各セル内において移動体着信呼のためのページング要求（記録）メッセージが送信される標準的ページング機能性を使用すると、例えば観察周期Ｔ中のセル内において送信されるページング要求メッセージの合計数は、
「ページング記録（ＰａｇｉｎｇＲｅｃｏｒｄｓ）」＝Ｎ*Ｍ*Ｋ    （１）
である。
式中、Ｎは、ＴＡリストの平均サイズであり、Ｍは各ＴＡ１５０内の平均セル数であり、Ｋは、１観察周期Ｔあたり、セル１個あたりの着信済呼の平均数である。
【００５３】
セル内の着信呼の平均数Ｋは、例えばベース・ステーションにより３ＧＰＰ仕様書ＴＳ３２，４２５第４．１．１章内の定義にしたがって測定された「移動体着信済呼」数に関係付けされ「ＲＲＣ接続セットアップ試行」数によって提供され得る。したがって、
（「ページング記録」）／（「移動体着信済呼」数に関係付けされた「ＲＲＣ接続セットアップ試行」数）＝（Ｎ*Ｍ*Ｋ）／Ｋ    （２）
となり、これは実ＴＡサイズの平均サイズ、すなわちＮ×Ｍセルに等しい。
【００５４】
以上の例においては、「１セルに等しい」１エリアの「ページング記録」と「着信済呼数（Ｋ）」が計算／測定されている。さらなる例においては、エリアを、例えば１ベース・ステーションが網羅する１エリア、トラッキング・エリア１５０の全てのベース・ステーション、１ＰＬＭＮエリアまたはより大きいエリア、例えば１クラスタ、またはその間の任意のエリアへと変動させることができる。
【００５５】
上述の例のための実ＴＡサイズは、ＥＰＣ内の構成データから得ることができるが、ＴＡリストの割当てられたＴＡＣと各セル／ｅＮＢ１２２の間の関係が分かっていなければならない。このとき、各ＴＡリストのサイズを計算し、得られた結果から平均を計算する必要がある。大量の構成データが利用され、一方で、提案された方法は、式（２）を介した、そしてＥ−ＵＴＲＡＮにおける実ＴＡサイズ計算を可能にする。
【００５６】
オペレータがＥＰＣ内でスマートページング機能性を起動させている別の例では、ＴＡリストおよび各ＴＡ１５０のサイズは、先の例に類似し、すなわちそれぞれＮおよびＭに等しく、１セルあたりの着信済呼の平均数は、１観察周期ＴあたりＫである。しかしながら、ページング要求（記録）は、全ＴＡリストの代わりに、ＵＥ１０２が高い確率で位置していることが期待されるｅＮＢｓ１２２からなるスマートＴＡリスト内に送信される。スマートＴＡリストはＸセルに等しく、ここでＸ≪Ｎ×Ｍである。観察周期Ｔ中に１つのセル内に送信されたページング要求メッセージの合計数は、
「ページング記録」＝Ｘ*Ｋ    （３）
である。
【００５７】
セル内の着信呼の平均数はＫであり、このＫは３ＧＰＰ仕様書ＴＳ３２，４２５第４．１．１章内に記載の定義にしたがって測定された「移動体着信済」呼数に関係付けされた「ＲＲＣ接続セットアップ試行」数によって提供され得ることから、
（「ページング記録」）／（「移動体着信済呼」数に関係付けされた「ＲＲＣ接続セットアップ試行」数）＝（Ｘ*Ｋ）／Ｋ    （４）
のような式を立てることができる。
これは、この場合Ｘセルに等しい平均実ＴＡサイズに等しい。この例中の実ＴＡサイズは、先の例の場合のように、構成データからは得ることができなかった。
【００５８】
上述の方法は、Ｅ−ＵＴＲＡＮ側での実ＴＡサイズの測定を可能にし、ここで実ＴＡサイズの測定は、「移動体着信済」呼数に関係付けされた「ＲＲＣ接続セットアップ試行」数あたりのページング記録数（この比率を、「キーパフォーマンスインジケータ」（ＫＰＩ）と呼ぶことができる）に基づいており、ここで「ページング記録」数の測定は、ＵＥ１０２に送信された「ページング記録」の数を提供するものである。測定は、３ＧＰＰ仕様書ＴＳ３６，３３１（第６．２．２章）内のページングメッセージ内で定義づけされた「ページング記録」によりトリガーされる。「移動体着信済」呼数に関係付けされた「ＲＲＣ接続セットアップ試行」数は、３ＧＰＰ仕様ＴＳ３２，４２５仕様書第４．１．１章中に記載の定義（ＲＲＣ  Ｃｏｎｎ  Ｅｓｔａｂ  Ａｔｔ．Ｃａｕｓｅ  ｆｏ  ＣａｕｓｅはＭＴ呼に等しい）にしたがって測定されているものとする。
【００５９】
１観察周期Ｔ内の単一のセルについてのページング記録および「ＲＲＣ接続セットアップ試行」の数を収集し（Ｓ１）、この情報を用いてＫＰＩを決定する（Ｓ２）ことは可能であり得る。しかしながら、観察周期Ｔ内の呼試行着信数はセル間で異なる可能性があり、そのため統計学的に信頼性の低い結果がもたらされる可能性がある。着信済呼数が、考慮された１観察周期ＴあたりのＫよりも多いかまたは少ないセルがいくつか存在し得る。セットアップ試行数を、ｅＮＢ１２２の全てのセルについて、またはトラッキング・エリア１５０内、ＰＬＭＮエリア内またはより大きいエリア、例えばクラスタ内のｅＮＢ１２２について、ｅＮＢ１２２の各セル内において測定することができる。このとき、結果をそれぞれにアグリゲートすることができる。すなわち、ＰＬＭＮ内の全てのセル全体にわたり合計したページング記録の数を、ＰＬＭＮ内の全てのセル全体にわたり合計した「移動体着信済呼」に関係付けされた「ＲＲＣ接続セットアップ試行」の数で除して、得られた結果が統計学的に信頼性の高いものでありセルの数で測定された平均実ＴＡサイズを示すようになっている場合、全ＰＬＭＮなどのより大きなオブジェクト１つあたりでＫＰＩを計算することができ、このときベース・ステーション１つあたりのセルの平均数により、セルの数で測定された平均実ＴＡサイズを除することによって、この平均実ＴＡサイズをベース・ステーション数に変換することができる（Ｓ３）。
【００６０】
図８に示されているように、ネットワーク管理ノード１４０は、ページング記録数および「移動体着信済」呼に関係付けされたＲＲＣ接続セットアップ試行に関する収集情報を受信することができる。ＫＰＩは、オフラインで計算可能である（Ｓ２）。ＫＰＩは、ネットワーク管理ノード１４０で計算可能である。
【００６１】
表１は、ＫＰＩを用いて実施される実ＴＡサイズ測定のための方法を示す。
【００６２】
【表１】
0006334723.tif 000002
【００６３】
図９は、例えばベース・ステーションまたはアクセスポイントなどのアクセス・システムのステーションに結合すべきかつ／またはこのステーションを制御するための通信システム向けの制御装置の一例を示す。一部の実施形態において、ベース・ステーションは、別個の制御装置を含む。他の実施形態において、制御装置は、無線ネットワーク・コントローラーまたはコアネットワーク要素などの別のネットワーク要素であり得る。一部の実施形態において、各ベース・ステーションは、このような制御装置を有するか、あるいは制御装置を無線ネットワーク・コントローラー内はコアネットワーク・コントローラー内に備えることができる。制御装置１０９（またはコアネットワーク内の制御装置−図示せず）は、システムのサービスエリア内の通信についての制御を提供するように配置可能である。制御装置１０９は、少なくとも１つのメモリー３０１、少なくとも１つのデータ処理ユニット３０２、３０３および入出力インターフェース３０２を含む。インターフェースを介して、制御装置をベース・ステーションの受信機および送信機に結合することができる。制御装置は、ＫＰＩを計算するために使用することができる。制御装置はネットワーク管理システムの一部であり得るか、あるいは、制御装置はネットワーク管理システムに対し、計算されたＫＰＩを提供することができる。ＫＰＩは、パフォーマンスネットワーク管理ノード内で計算され得る。
【００６４】
ベース・ステーション装置、通信デバイスおよび任意の他の適切な装置（例えば制御装置）の所要のデータ処理装置およびデータ処理機能は、１つ以上のデータプロセッサを用いて提供され得る。説明された機能は、１つ以上のプロセッサまたは統合プロセッサによって提供可能である。データプロセッサは、現地の技術的環境に好適な任意のタイプのものであり得、非限定的な例として、汎用コンピュータ、専用コンピュータ、マイクロプロセッサ、デジタル信号プロセッサ（ＤＳＰ）、特定用途向け集積回路（ＡＳＩＣ）、ゲートレベル回路およびマルチコアプロセッサアーキテクチャに基づくプロセッサのうちの１つ以上を含むことができる。データ処理は、複数のデータ処理モジュールを横断して分散され得る。例えば少なくとも１つのチップを用いて、データプロセッサを提供することができる。関連するデバイス内に、適切なメモリー容量を備えることも同様に可能である。メモリー（単複）は、現地の技術環境に好適なあらゆるタイプのものであり得、半導体ベースのメモリーデバイス、磁気メモリーデバイスおよびシステム、光学メモリーデバイスおよびシステム、固定メモリーおよびリムーバブルメモリーなどの任意の好適なデータ記憶技術を用いて実装可能である。概して、さまざまな実施形態を、ハードウェアまたは専用回路、ソフトウェア、論理またはこれらの任意の組合せの中で実装することができる。
【００６５】
本発明の一部の態様は、ハードウェア内で実装され得、一方他の態様は、コントローラ、マイクロプロセッサまたは他の計算デバイスにより実行可能なファームウェアまたはソフトウェアの形で実装され得るが、本発明はこれらに限定されるわけではない。本発明のさまざまな態様を、ブロック図、流れ図としてまたは他のいくつかの絵画的表現を用いて例示し説明することができるものの、本明細書中に記載のこれらのブロック、装置、システム、技術、または方法が、非限定的な例として、ハードウェア、ソフトウェア、ファームウェア、専用回路または論理、汎用ハードウェアまたはコントローラまたは他の計算デバイス、あるいはそれらの一部の組合せの中で実装可能なものであるということは、充分理解できる。ソフトウェアは、メモリ・チップなどの物理媒体、またはプロセッサの内部に実装されたメモリーブロック、ハードディスクまたはフロッピーディスクなどの磁気媒体および、例えばＤＶＤおよびそのデータ変形形態であるＣＤなどの光学媒体上に記憶することができる。
【００６６】
以上の明細書では、例示的かつ非限定的な例として、本発明の例示的実施形態の完全かつ有益な説明が提供されてきた。しかしながら、添付図面および別記クレームと併せて以上の説明を考慮すると、当業者にはさまざまな修正および適応が明らかになる可能性がある。ただし、本発明の教示のこのような修正および類似の修正は全て、別記クレーム内で定義されている通りの本発明の範囲内になおも入るものである。実際、先に論述した他の実施形態のいずれかの１つ以上の組合せを含むさらなる実施形態が存在する。
【図１】
0006334723.tif 000003
【図２】
0006334723.tif 000004
【図３】
0006334723.tif 000005
【図４】
0006334723.tif 000006
【図５】
0006334723.tif 000007
【図６】
0006334723.tif 000008
【図７】
0006334723.tif 000009
【図８】
0006334723.tif 000010
【図９】
0006334723.tif 000011